【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
有色の有色トナー及び無色のクリアトナーがそれぞれ搭載され、前記有色トナーを付着させるための有色版データと、前記クリアトナーを付着させるためのクリアトナー版データとに基づいて記録媒体に画像を形成する印刷装置に接続された情報処理装置であって、
前記有色版 データと前記クリアトナー版データとを構成する全ての画素の濃度値の総和が一定値以下となる総量規制処理を施すように、前記有色版データと前記クリアトナー版データとを補正する総量規制部と、
前記クリアトナー版データに前記総量規制処理が施されているか否かを判断する判断部と、
前記クリアトナー版データに前記総量規制処理が施されている場合に、画素ごとに、前記クリアトナー版データの画素の濃度値と、前記総量規制処理が施されたクリアトナー版データの画素の濃度値との差分を算出する差分算出部と、
前記差分が所定の閾値以上の画素から構成される領域である不一致領域を抽出する抽出部と、
前記不一致領域を出力する出力部と、
を備えたことを特徴とする情報処理装置。
【請求項２】
前記差分算出部は、画素ごとに、前記クリアトナー版データの画素の前記表面効果の濃度値と、前記総量規制処理が施されたクリアトナー版データの画素の前記表面効果の濃度値との差分を算出する、
ことを特徴とする請求項１に記載の情報処理装置。
【請求項３】
前記差分算出部は、画素ごとに、前記クリアトナー版データの前記透明画像の画素の濃度値と、前記総量規制処理が施されたクリアトナー版データの前記透明画像の画素の濃度値との差分を算出する、
ことを特徴とする請求項１または２に記載の情報処理装置。
【請求項４】
前記出力部は、前記不一致領域を、前記不一致領域以外の領域である一致領域の表示形態と異なる表示形態で表示することを特徴とする請求項１〜３のいずれか一つに記載の情報処理装置。
【請求項５】
ユーザから、前記閾値と、前記不一致領域の表示形態の指定とを受付ける設定部と、をさらに備え、
前記出力部は、前記不一致領域を、指定された表示形態で表示することを特徴とする請求項４に記載の情報処理装置。
【請求項６】
前記表示形態は、特定色であることを特徴とする請求項５に記載の情報処理装置。
【請求項７】
前記総量規制処理が施されたクリアトナー版データに基づいて、印刷結果を推定した画像であるプレビュー画像を生成するプレビュー画像生成部、をさらに備え、
前記出力部は、前記プレビュー画像を表示するとともに、前記プレビュー画像上で前記不一致領域を表示することを特徴とする請求項１〜６のいずれか一つに記載の情報処理装置。
【請求項８】
前記出力部に表示された前記プレビュー画像上で、ユーザからの操作入力を受け付ける入力部をさらに備え、
前記出力部は、さらに、前記操作入力の位置が前記不一致領域に含まれる場合に、前記不一致領域における前記表面効果と、前記差分値とを表示することを特徴とする請求項７に記載の情報処理装置。
【請求項９】
有色の有色トナー及び無色のクリアトナーがそれぞれ搭載され、前記有色トナーを付着させるための有色版データと、前記クリアトナーを付着させるためのクリアトナー版データとに基づいて記録媒体に画像を形成する印刷装置に接続された情報処理システムであって、
前記有色版データと前記クリアトナー版データとを構成する全ての画素の濃度値の総和が一定値以下となる総量規制処理を施すように、前記有色版データと前記クリアトナー版データとを補正する総量規制部と、
前記クリアトナー版データに前記総量規制処理が施されているか否かを判断する判断部と、
前記クリアトナー版データに前記総量規制処理が施されている場合に、画素ごとに、前記クリアトナー版データの画素の濃度値と、前記総量規制処理が施されたクリアトナー版データの画素の濃度値との差分を算出する差分算出部と、
前記差分が所定値以上の画素から構成される領域である不一致領域を抽出する抽出部と、
前記不一致領域を出力する出力部と、
を備えたことを特徴とする情報処理システム。
【請求項１０】
有色の有色トナー及び無色のクリアトナーがそれぞれ搭載され、前記有色トナーを付着させるための有色版データと、前記クリアトナーを付着させるためのクリアトナー版データとに基づいて記録媒体に画像を形成する印刷装置に接続された情報処理システムで実行される出力方法であって、
前記有色版データと前記クリアトナー版データとを構成する全ての画素の濃度値の総和が一定値以下となる総量規制処理を施すように、前記有色版データと前記クリアトナー版データとを補正する総量規制ステップと、
前記クリアトナー版データに前記総量規制処理が施されているか否かを判断する判断ステップと、
前記クリアトナー版データに前記総量規制処理が施されている場合に、画素ごとに、前記クリアトナー版データの画素の濃度値と、前記総量規制処理が施されたクリアトナー版データの画素の濃度値との差分を算出する差分算出ステップと、
前記差分が所定値以上の画素から構成される領域である不一致領域を抽出する抽出ステップと、
前記不一致領域を出力する出力ステップと、
を含むことを特徴とする出力方法。
【手続補正２】
【補正対象書類名】明細書
【補正対象項目名】発明の名称
【補正方法】変更
【補正の内容】
【発明の名称】情報処理装置、情報処理システムおよび出力方法
【手続補正３】
【補正対象書類名】明細書
【補正対象項目名】００４５
【補正方法】変更
【補正の内容】
【００４５】
画像処理部５２０は、主として、ホスト装置１０から印刷データを受信して、受信した印刷データに含まれる有色版データ、クリア版データ、光沢制御版データに基づいてクリアトナー版データを生成し、有色版データおよびクリアトナー版データに総量規制処理を施すものである。
【手続補正４】
【補正対象書類名】明細書
【補正対象項目名】００６６
【補正方法】変更
【補正の内容】
【００６６】
総量規制部５４２は、クリアトナー版生成部５３２で生成されたクリアトナー版データαに対して、有色版データおよびクリアトナー版データの全ての画素の濃度値の総和が一定値以下となるように補正する総量規制処理を施す。総量規制処理が施されたクリアトナー版データを、クリアトナー版データβと呼ぶ。
【手続補正５】
【補正対象書類名】明細書
【補正対象項目名】００６７
【補正方法】削除
【補正の内容】
【手続補正６】
【補正対象書類名】明細書
【補正対象項目名】００６８
【補正方法】変更
【補正の内容】
【００６８】
具体的には、総量規制部５４２は、ＣＭＹＫの各有色版データ、及びクリアトナー版データの各画素の濃度に対して、プリンタのトナー総付着量を超えないよう、ＣＭＹＫの各有色版データ、及びクリアトナー版データの濃度を補正する。
【手続補正７】
【補正対象書類名】明細書
【補正対象項目名】００７０
【補正方法】変更
【補正の内容】
【００７０】
図１２は、総量規制処理を説明するためのグラフである。図１２に示すグラフにおいて、横軸は、Ｃ、Ｍ、Ｙ、Ｋの有色版データおよびクリアトナー版データ上における画素位置ｉを示す。縦軸は、各画素位置ｉにおけるＣ、Ｍ、Ｙ、Ｋのトナーおよびクリアトナーの濃度値の合算値を示す。
【手続補正８】
【補正対象書類名】明細書
【補正対象項目名】００７１
【補正方法】変更
【補正の内容】
【００７１】
図１２の例では、クリアトナー版データにおける理想的なクリアトナーの画素の濃度値Ｘ１は２５４であり（Ｘ１＝２５４）、Ｃ，Ｍ，Ｙ，Ｋの有色版データの各画素位置での濃度値Ｘ３は４２１である（Ｘ３＝４２１）。このため、Ｃ，Ｍ，Ｙ，Ｋの有色版データとクリアトナー版データの合算の濃度値は６７５となり、一般的な２６０％に相当する濃度値６６５より値１０だけ超過してしまう。このため、総量規制部５４２は、クリアトナー版データαから濃度値１０だけ減算することにより、クリアトナー版データの濃度値をクリアトナーの画素の濃度値Ｘ２＝２４４に補正する。これによりクリアトナー版データαに総量規制処理が施され、濃度値の補正後のクリアトナー版データβが得られる。
【手続補正９】
【補正対象書類名】明細書
【補正対象項目名】００９８
【補正方法】変更
【補正の内容】
【００９８】
次に、総量規制部５４２は、有色版データおよびクリアトナー版データの画素の濃度値の総和に基づいて、クリアトナー版データに総量規制処理が必要か否かを判断する（ステップＳ６）。そして。例えば、総量規制部５４２は、有色版データおよびクリアトナー版データの画素の濃度値の総和が所定値以上であるか否かを判断することにより、総量規制処理が必要であるか否かを判断する。
【手続補正１０】
【補正対象書類名】明細書
【補正対象項目名】００９９
【補正方法】変更
【補正の内容】
【００９９】
そして、有色版データおよびクリアトナー版データの画素の濃度値の総和が所定値以上である場合等で、総量規制処理が必要であると判断された場合には（ステップＳ６：Ｙｅｓ）、総量規制部５４２は、クリアトナー版データαに上述した総量規制処理を施し、クリアトナー版データβを生成する（ステップＳ７）。
【手続補正１１】
【補正対象書類名】明細書
【補正対象項目名】０１００
【補正方法】変更
【補正の内容】
【０１００】
一方、ステップＳ６で、有色版データおよびクリアトナー版データの画素の濃度値の総和が所定値未満である場合等で総量規制処理が不必要であると判断された場合には（ステップＳ６：Ｎｏ）、ステップＳ７の総量規制処理は行われない。この場合、クリアトナー版データαがクリアトナー版データβとして扱われることになる。